Podtech/llm-jp-corpus-v4-ja_patent huggingface dataset:
(57)【要約】      （修正有）【課題】例えばベレー帽本体後頭部に頭のサイズ調整機構を設けサイズ調整幅を持つ帽子を提供する。【解決手段】帽子本体後頭部の中心に略逆Ｕ字状の開口を設け、該略逆Ｕ字状の内側の縁を同じ長さに縁部材６を揃え該縁を縁部材で挟み縫い合わせ、更に縁部材を本体下部縁を挟み縫い合わせて、帽子本体後頭部に位置する略逆Ｕ字状の開口部の両端から縁部材を紐状に延長させ、この紐（左右の延長部６ａ、６ｂ）を結ぶ事により帽子の縁サイズ調整が可能となる。【選択図】図２
0003210201.tif 000002
【実用新案登録請求の範囲】
【請求項１】
頭部の上部を覆う本体部と、前記頭部の側頭部に位置する下縁部とからなる帽子であって、前記下縁部は、後頭部に位置する部分が略逆Ｕ字状に切り欠かれた切欠部が形成されており、前記下縁部には、紐状の縁部材が設けられており、該縁部材は、前記切欠部の端部からそれぞれ所定距離延長されて延びていることを特徴とする帽子。
【請求項２】
前記縁部材は、長手方向に沿って内側に折り込まれており、この折り込まれた部位に前記下縁部が挟み込まれた状態で縫い合わされていることを特徴とする請求項１記載の帽子。
【考案の詳細な説明】
【０００１】本考案はサイズ調整可能な帽子に関する。
【背景技術】
【０００２】帽子、例えば、ベレー帽は多くの年齢層の方達に愛用されており、本体の素材はおもにフェルトから形成された物が多く、様々な色合いのベレー帽が存在する。
主なベレー帽素材のフェルトは収縮性が無い為、サイズが合わないベレー帽を被ろうとする時は髪専用のヘアピンなどでベレー帽が脱落しないよう髪とベレー帽を数カ所に挟み込む方法しかなく、外観も損なう。【０００３】
【考案の概要】
【考案が解決しようとする課題】
【０００４】本考案は、帽子例えばベレー帽のサイズ調節を速やかに行い前記の脱落防止及び外観を損なわずに被れるベレー帽を提供することを目的とする。
【課題を解決するための手段】
【０００５】上記目的を解決すべく本考案は、帽子の本体後頭部中心下部へ略逆Ｕ字状の開口を設けることにより、サイズ調節を行った際にベレー帽本体後部に折り皺が出来にくく又、無理なく伸びしろが与えられることを特徴とする。【０００６】本考案の帽子において、例えばベレー帽本体後頭部の縁へ縫い合わせる縁紐は、適度な強度を有するＶ字型の紐形状に形成することを特徴とする。【０００７】本考案の帽子において、上記の略逆Ｕ字状開口部の内周縁へ適度な強度を有するＶ字型紐形状に形成された縁部材を該開口部内周縁の長さにあわせ該縁に挟み込み縫い合わせたことを特徴とする。【０００８】本考案に係る帽子において、例えばベレー帽本体下部の縁廻りへ、上記の略逆Ｕ字状の両端下部へＶ字型紐形状に形成された縁部材を本体下部縁を挟み込み縫い合わせさらに、該略逆Ｕ字状の両端下部から縁部材を延長させたことを特徴とする。【０００９】本考案に係る帽子において上記の延長させた縁部材両側を結びサイズ調節を行うことを特徴とする。
【考案の効果】
【００１０】本考案により、例えばベレー帽本体後頭部へ略逆Ｕ字状の開口部を設けることにより、容易にサイズ調整ができ、該略逆Ｕ字状の開口内周縁へ縁部材を挟み込みぬいあわせることにより開口部内周の補強となり、皺等からの外観も崩れず、サイズ調整のため開口部の開閉を繰り返しても本体のフェルト生地が傷まなくなり皺等の外観も損なわず延長された本体後部の縁紐を結ぶことにより、飛躍的にサイズ調節ができ、頭部からの脱落防止となる。
【図面の簡単な説明】
【００１１】
【図１】本考案に係る帽子の側方からの斜視図である。
【図２】本考案に係る帽子を後方から見た斜視図である。
【図３】本考案に係る図１のＡ−Ａ断面図である。
【実施例】
【００１２】本考案の実施例について図面に基づいて説明する。
帽子（例えばベレー帽）１は、頭部の上部を覆うように上方に膨らんだ本体部２と該本体部２の下縁で頭部の側頭部に位置する下縁部３とからなる。なお、本体１はフェルト生地で構成されている。【００１３】そして、前記下縁部２には、後頭部に位置する部分に略逆Ｕ字状の切欠部４が形成されている。【００１４】また、前記本体部２の下縁部３には、この下縁部３を覆うように紐状の縁部材６が縫い合わされている。【００１５】この縁部材６は、細長い布を長手方向に沿って左右それぞれ半分（４分の１）ずつ折り畳み、この折り畳んだ状態からさらに半分（２分の１）に折り畳むように構成されている。【００１６】そして、半分（２分の１）に折り畳む際に、前記帽子１の下縁部２を挟んで糸７で縫い付けられている。（図３参照）【００１７】前記した縁部材６は、前記切欠部４の端部からそれぞれ所定距離、例えば１５ｃｍ程度延長されて延びている。この左右の延長部６ａ、６ｂを結ぶことによって帽子のサイズ調整を行うことができるようになっている。【００１８】一方、前記切欠部４の湾曲部にも、縁部材６ｃが縫い合わされて見栄えを損なわない構成とされている。【００１９】前記した実施例では、ベレー帽について説明したが本考案は、これに限らず、つば付きの帽子などにも適用可能である。
【符号の説明】
【００１９】１    帽子
２    本体部
３    下縁部
４    切欠部
５    延長部
６    縁部材
７    縫合部
【図１】
0003210201.tif 000003
【図２】
0003210201.tif 000004
【図３】
0003210201.tif 000005
(57)【要約】【課題】花やかで上品な感じを与える骨壺を提供する。【解決手段】本考案の骨壺は、外側が藍色で、高さが１６ｃｍ、直径が１０．５ｃｍの円筒型の骨壺であって、正面に白色の花模様を施した本体部と、上面に前記花模様と同じ花模様を施した蓋部と、からなる。【選択図】図１
0003210269.tif 000002
【実用新案登録請求の範囲】
【請求項１】
外側が藍色で、高さが１６ｃｍ、直径が１０．５ｃｍの円筒型の骨壺であって、
正面に白色の花模様を施した本体部と、
上面に前記花模様と同じ花模様を施した蓋部と、
からなることを特徴とする骨壺。
【請求項２】
前記花模様は、空想上の花であることを特徴とする請求項１に記載の骨壺。
【考案の詳細な説明】
【技術分野】
【０００１】
本考案は、骨壺に係り、より詳しくは、花やかで上品な感じの骨壺に関する。
【背景技術】
【０００２】
特許文献１には骨壺の表面に枝と木の実の模様が施されている。しかしながら、もの寂しい感じで、花やかで上品な感じを与える模様ではない。
【先行技術文献】
【特許文献】
【０００３】
【特許文献１】実用新案登録第３１５３３７９号公報
【考案の概要】
【考案が解決しようとする課題】
【０００４】
本考案の目的は、花やかで上品な感じを与える骨壺を提供することにある。
【課題を解決するための手段】
【０００５】
本考案による骨壺は、外側が藍色で高さが１６ｃｍ、直径が１０．５ｃｍの円筒型の骨壺であって、正面に白色の花模様を施した本体部と、上面に前記花模様と同じ花模様を施した蓋部と、からなることを特徴とする。
【０００６】
前記花模様は、空想上の花であることを特徴とする。
【考案の効果】
【０００７】
本考案による骨壺によれば、本体部と蓋部の表面に、同じ形状の花模様を施したので、花やかで上品な感じを与える骨壺にできる。骨壺が藍色、すなわち青より濃く紺より淡い色で、花模様が白色なので、濃淡のコントラストにより花模様が強調できる。
【０００８】
花模様は、空想上の花なので、現実のものとは異なり、より深い印象を与えることができる。
【図面の簡単な説明】
【０００９】
【図１】本考案による骨壺の斜視図である。
【図２】本考案による骨壺の正面図である。
【図３】本考案による骨壺の右側面図である。
【図４】本考案による骨壺の左側面図である。
【図５】本考案による骨壺の背面図である。
【図６】本考案による骨壺の平面図である。
【考案を実施するための形態】
【００１０】
以下、図面を参照して、本考案による骨壺について詳しく説明する。
【実施例】
【００１１】
図１は、本考案による骨壺１０の斜視図である。陶磁器製で高さが約１６ｃｍ、幅（直径）が約１０．５ｃｍである。直径の割には高さがある。本実施例の骨壺１０は、本体部１と蓋２からなる。骨壺１０は、円筒型で、切立型と呼ばれる。これに対し通常型は、壺のような膨らんだ形をしている。花模様３は、蓋２の上部表面と、本体部の正面に設けられる。骨壺１０の外側は、底部を除いて藍色である。花模様３は、白色である。
【００１２】
図２は、本考案による骨壺１０の正面図である。花模様３は、開いた大きな花が５つ配置され、１つは後ろ向きである。つぼみのものは２つである。花は空想上のものである。花模様３は白色で、背景が藍色なので、コントラストがあり、花模様３が浮き上がって花やかに見える。
【００１３】
図３は、本考案による骨壺１０の右側面図である。図４は、本考案による骨壺の左側面図である。図５は、本考案による骨壺の背面図である。花模様３を正面に配置したので、側面からは一部が見える。背面には花模様３はない。
【００１４】
図６は、本考案による骨壺１０の平面図である。蓋２の上部表面にも、本体部１の正面の花模様３と同じ形状と色の花模様３が描かれている。蓋２の内側には、シリコーンパッキンを備える。シリコーンパッキンは、長寿命で、対オゾン性、耐水性、耐熱性に優れ、骨壺内に湿気が入ることを防止できる。
【産業上の利用可能性】
【００１５】
本実施例の骨壺は、花やかで上品な感じを与える骨壺として好適である。
【符号の説明】
【００１６】
１    本体部
２    蓋
３    花模様
１０    骨壺
【図１】
0003210269.tif 000003
【図２】
0003210269.tif 000004
【図３】
0003210269.tif 000005
【図４】
0003210269.tif 000006
【図５】
0003210269.tif 000007
【図６】
0003210269.tif 000008
(57)【要約】      （修正有）【課題】化粧の仕上げ用等に使用する化粧用ブラシであって、一方向のみの使用に適し、肌触りがよく、きめ細かなパウダー状化粧品のフィニッシングが可能な化粧用ブラシを提供する。【解決手段】柄２に、口金３を介して挟持・固定される毛先４からなる化粧用ブラシ１において、毛先の断面形状が丸束状であって、且つ、毛先の上端を斜めにカットして、楕円状の平面部４ｂを形成し、カットされた平面部の先端部４ａの毛を、他の毛に比べて適宜長めに形成したことを特徴とする。【選択図】図１
0003210248.tif 000002
【実用新案登録請求の範囲】
【請求項１】
柄（２）に、口金（３）を介して挟持・固定される毛先（４）からなる化粧用ブラシ（１）において
該毛先（４）の断面形状が丸束状であって、
且つ、前記毛先（４）の上端を斜目にカットして、楕円状の平面部（４ｂ）を形成し、
カットされた平面部の先端部（４ａ）の毛（Ｘ）を、他の毛（Ｘ）に比べて適宜の長さほど長めに形成した
ことを特徴とする化粧用ブラシ。
【請求項２】
前記楕円状の平面部（４ｂ）の先端部（４ａ）の長さが、３〜７ｍｍである
ことを特徴とする請求項１記載の化粧用ブラシ。
【考案の詳細な説明】
【技術分野】
【０００１】
この考案は、化粧用ブラシに関するものであり、さらに詳しくは、化粧品を広い面積で付着でき、さらに、化粧品を一方方向に塗布することにより、確実に塗布できる便利な化粧用ブラシである。
【背景技術】
【０００２】
従来、化粧用ブラシは、使用する顔面の箇所や使用する化粧品により、それに適した種々の化粧ブラシが開発されている。例えば、特許文献１のように。
【先行技術文献】
【特許文献】
【０００３】
【特許文献１】特開２０１１−８７６７５号公報
【０００４】
しかし、近年、パウダーやファンデーション等の化粧品の目覚しい進化によって、これらの化粧品に適合する化粧用ブラシが開発されているが、一度に多くの化粧品を付着させて顔面や身体に塗布する化粧用ブラシは見当たらないものであった。また、仮に存在したとしても一方方向に塗布することのより確実に塗布で出来る化粧用ブラシは存在しなかった。
【考案の概要】
【考案が解決しようとする課題】
【０００５】
そこで、この考案は  化粧用ブラシあって、その肌触りがよく、きめ細かなパウダー状化粧品のフィニッシングに使用したり、また、化粧品を一方方向のみに使用する際に適した化粧用ブラシを開発・提供する事にある。
【課題を解決するための手段】
【０００６】
この考案に係る化粧用ブラシは、
柄に、口金を介して挟持・固定される毛先からなる化粧用ブラシにおいて
該毛先の断面形状が丸束状であって、
且つ、前記毛先の上端を斜目にカットして、楕円状の平面部を形成し、
カットされた平面部の先端部の毛を、他の毛に比べて適宜の長さほど長めに形成した
ことを特徴とする。
【０００７】
また、
前記楕円状の平面部の先端部の長さが、３〜７ｍｍである
ことを特徴とする。
【考案の効果】
【０００８】
また、考案によると、毛先（４）の上端を斜めにカットすることにより、平面が広く形成されたことにより、パウダー等の化粧品が多く付着しやすく、また、平面部の先端部は、３〜７ｍｍほど、他の毛比べて長めに形成したことにより（即ち，毛先の他部分は毛が密集しているに対して、平面部の先端部は毛が散在している。）その部分の毛の腰が柔らかくなり、肌触りがよく、仕上げ（フィニシング）に使用すると、きめ細かいパウダーであっても伸ばしやすい等の極めて有益なる効果を奏する。
【０００９】
さらに、この考案によると、毛先（４）に形成した上端を斜目にカットして、楕円状の平面部（４ｂ）に形成することにより、図４に示すＱ方向に移動させることにより、一方方向に化粧品を滑らかに塗布することが簡単にできる等の効果を奏するものである。
【図面の簡単な説明】
【００１０】
【図１】この考案の一実施例を示す正面図である。
【図２】この考案の一実施例を示す左側面図である。
【図３】この考案の一実施例を示す右側面図である。
【図４】この考案の使用状態の一実施例を示す説明図である。
【考案を実施するための形態】
【００１１】
以下、この考案の詳細について詳細に説明する。尚、この考案においては、以下の記述に限定されるものではなく、この考案の要旨を逸脱しない範囲においては適宜変更可能である。
【実施例】
【００１２】
そこで、この考案の一実施例を図１〜図３に基づいて詳述すると、柄（２）に、口金（３）を介して挟持・固定される毛先（４）からなる化粧用ブラシ（１）において該毛先（４）の断面形状が丸束状であって、且つ、前記毛先（４）の上端を斜目にカットして、楕円状の平面部（４ｂ）を形成し、カットされた平面部の先端部（４ａ）の毛（Ｘ）を、他の毛（Ｘ）に比べて適宜の長さほど長めに形成したことを特徴とする化粧用ブラシから構成される。
【００１３】
そしてこの考案は、前述のように、毛先（４）の上端を楕円状の平面部（４ｂ）を形成したことにより、この平面部で化粧品、例えば、パウダー状の化粧品を毛先に付着する場合、広い面積で付着できるよう構成したものである。
【００１４】
さらに、この考案によると、毛先（４）に形成した上端を斜目にカットして、楕円状の平面部（４ｂ）に形成することにより、毛先の先端と他端とは図１に示すように差が生じ、例えば、パウダー等の化粧品を付着させた毛先を、図４に示すＱ方向に摺動させれば、平面部（４ｂ）に付着させた全面の化粧品は滑らかに塗布することが可能であるが、矢印Ｑ方向とは逆方向に摺動させると、毛先の長い方の端部の化粧品だけは塗布できるが、徐々に摺動するに従って、毛先が崩れて楕円状の平面部（４ｂ）に付着した化粧品は、毛先の長い方の端部の毛（Ｘ）押されて左右に移動し、滑らかに塗布できないものである。
【００１５】
また、この考案は、前記楕円状の平面部（４ｂ）の先端部（４ａ）の長さが、３〜７ｍｍであることを特徴とする化粧用ブラシであるが、該化粧用ブラシの毛先（４）の断面形状が丸束状であって、該毛先の先端部（４ａ）を、他の毛（Ｘ）比べて長めに形成した、化粧用ブラシ（１）において、前記毛先（４）の上端を斜目にカットして、楕円状の平面部（４ｂ）に形成し、カットされた平面部の先端部（４ａ）を、適宜な長さほど他の毛（Ｘ）比べて長めに形成したことにより、その肌触りがよい化粧用ブラシである。
【００１６】
なお、化粧用ブラシ（１）自体は、柄（２）を口金（３）の下端でカシメ、挟持・固定され、該口金（３）の上端により毛先（４）の断面形状が丸束状に挟持・固定されているものである。
【産業上の利用可能性】
【００１７】
この考案の化粧用ブラシの技術を確立し、実施することにより、産業上利用できるものである。
【符号の説明】
【００１８】
１  化粧用ブラシ
２  柄
３  口金
４  毛先
４ａ  毛先の先端部
４ｂ  楕円状の平面部
Ｘ  毛
【図１】
0003210248.tif 000003
【図２】
0003210248.tif 000004
【図３】
0003210248.tif 000005
【図４】
0003210248.tif 000006
(57)【要約】【課題】容易に更衣可能であり、尿漏れパットを装着できる衣類を提供する【解決手段】尿漏れパット100が取り付けられた状態で、下半身に装着される衣類1であって、ズボン形状に形成された本体10と、本体の内部に配置され、尿漏れパット100が取り付けられるサポーター20と、を備え、本体10は、左右側部の少なくとも一方が開閉状態であり、サポーター20は、帯形状に形成され、短辺方向の両側縁が、それぞれ、本体の前身頃上端と、後身頃上端に取り付けられている衣類。【選択図】図1
0003210132.tif 000002
【実用新案登録請求の範囲】
【請求項１】
尿漏れパットが取り付けられた状態で、下半身に装着される衣類であって、ズボン形状に形成された本体と、本体の内部に配置され、尿漏れパットが取り付けられるサポーターとを備え、本体は、左右側部の少なくとも一方が開閉状態であり、サポーターは、帯形状に形成され、短辺方向の両側縁が、それぞれ、本体の前身頃上端と、後身頃上端に取り付けられていることを特徴とする尿漏れパット装着用衣類。
【考案の詳細な説明】
【技術分野】
【０００１】
本考案は尿漏れパット装着用衣類
【背景技術】
【０００２】
従来のパンツは下肢の手術後は手術した脚が動かせない為、膝の屈伸等が出来ない患者は下着の脱ぎ着が大変不自由になる。その為手術後は看護師や介護者等の介助者の手を借りて脱ぎ着をしなければいけない、これは骨折等ギプス使用時や高齢者にも当てはまる。また、介助者が、患者等の下着を脱ぎ着させるのは重労働である。
【考案の概要】
【考案が解決しようとする課題】
【０００３】
容易に更衣可能であり、尿漏れパットを装着できる衣類を提供すること。
【課題を解決するための手段】
【０００４】
尿漏れパットが取り付けた状態で、下半身に装着される衣類であって、ズボン形状に形成された本体と、本体の内部に配置され、尿漏れパットが取り付けられるサポーターと、を備え、本体は、左右側部の少なくとも一方が開閉状態でありサポーターは帯形状に形成され、短辺方向の両側縁が、それぞれ、本体の前身頃上端と、後身頃上端取り付けられている衣類。
【考案の効果】
【０００５】
本考案によれば容易に更衣可能であり、尿漏れパットを装着できる衣類を提供することが出来る。
【図面の簡単な説明】
【０００６】
【図１】本考案の尿漏れパット装着用衣類の斜視図
【考案を実施するための形態】
【０００７】
尿漏れパット100が取り付けられた状態で、下半身に装着される衣類1であって、ズボン形状に形成された本体10と、本体の内部に配置され、尿漏れパット100が取り付けられるサポーター20と、を備え、本体10は、左右側部の少なくとも一方が開閉状態であり、サポーター20は、帯形状に形成され、短辺方向の両側縁が、それぞれ、本体の前身頃上端と、後身頃上端に取り付けられている衣類。
【０００８】
実施例は綿素材であるが素材は、綿、絹、毛織物、ポリエステル、ナイロン等の化学繊維、紙製品、ビニール，レース、革等何でもよい。
【０００９】
開端部の係止は実施例ではファスナーですが面ファスナー・ホック・リボン・釦など係止具は何でもよい。
【００１０】
サポーター部は本体に縫いつけても、着脱自在にしてもよい。
【００１１】
ズボンの長さは任意で、短パンでも長ズボンでもスカートでもよい。
【００１２】
開端部は右のみ、左のみまたは両方でもよい。
【００１３】
ウエスト部分は実施例ではゴム入りであるが、素材、丈等のデザインにより上着と連結してもよい。
【００１４】
(1)自分で開端部を開閉し着脱出来る。手術した脚を動かさなくても済むので着脱に看護師や介護者の手を借りなくてよい。
(2)医師・看護師の治療・介護が容易である。
(3)ゆったりとしたパンツで締め付けが無く傷口を圧迫しない。浮腫や脚の付け根（鼠径部）を締め付けない。
(4)横になった状態でも開閉可能な開端部を開きガーゼ交換・湿布の貼付・抜糸等容易に傷口が露出出来る。
(5)開端部を開いたときにサポーターが陰部を隠すので羞恥心が緩和され安心感が得られる。
(6)サポーターは尿漏れパットを固定できるので安心して就寝できる。
(7)介護が必要な高齢者の場合、一度でパジャマのズボンと下着が交換できる。
【符号の説明】
【００１５】
1    衣類
10   本体
20   サポーター
100  尿漏れパット
【図１】
0003210132.tif 000003
(57)【要約】      （修正有）【課題】従来のバーコードの機能をそのまま発揮しながら案内サインの表示内容も棄損せず、標準的な読取り性能のバーコードリーダーでも読み取れる形状のバーコードを記載したシートを提供する。【解決手段】上下を切り取り加工した一次元バーコード２と、その両端外側に配置される１又は２以上の縦線（以下、拡張ガードバ―という）５を備え、幅が高さの１０倍以上である横長形状拡張型バーコード６に、拡張型バーコード６の高さとの差異が１０％以下となるように調整された二次元バーコード３と、全体を囲うためのフレームを組み合わせ、全体としてバーコードを横長形状とする。【選択図】図２
0003210164.tif 000002
【実用新案登録請求の範囲】
【請求項１】
一次元バーコードの上下を切り取り加工したバーコードと、その両端外側に配置される１又は２以上の縦線（以下、拡張ガードバーという）とからなる拡張型バーコードにおいて、バーコード部分と拡張ガードバーの距離がバーコード部分の幅の１００分の７以上確保され、拡張型バーコード全体として幅が高さの１０倍以上の横長形状であることを特徴とするバーコード記載のシート。
【請求項２】
請求項１記載の拡張型バーコードと二次元バーコードを横に並べて配置した複合型バーコードにおいて、二次元バーコードの高さと該一次元バーコードの高さとの差異が１０％以下となるように調整され、複合型バーコード全体として幅が高さの１０倍以上の横長形状であることを特徴とするバーコード記載のシート。
【請求項３】
全体がフレームで囲われていることを特徴とする請求項１又は請求項２記載のシート。
【考案の詳細な説明】
【技術分野】
【０００１】
本考案は、案内サインの表示内容を棄損せず、標準的な読取り性能のバーコードリーダーでも読み取れる形状のバーコードに関するものである。
【背景技術】
【０００２】
従来の一次元バーコードは縦横比の小さい長方形であり、二次元バーコードは正方形である。小型の印刷物等にバーコードを付記し、携帯電話等を通じて付加情報に誘導する手法は平成２０年頃から一般的に用いられている。
【０００３】
公共空間に設置される案内サインは、（１）公衆に提供される、（２）一般に大型である、（３）長期間掲示される、といった理由から表示内容やデザインに求められる条件が厳しい。このため、符号がノイズのように配置されたバーコードを案内サインに付記するとすれば、表示内容に及ぼす影響を小さくすることが必要になる。
【０００４】
しかし、案内サインは横長又は縦長の形状であることが多いのに対し、従来のバーコードの形状では、相対的に大きな面積を占めてしまうため、案内サインの表示領域を圧迫し、表示内容を棄損する。このため、案内サインの中にバーコードが付記されている事例は少ない。
【０００５】
これを解決するものとして、非特許文献１に示す考案が挙げられるが、バーコードリーダーに高い読取り性能を要求し、標準的なバーコードリーダーでは読み取りにくいという課題がある。
【先行技術文献】
【非特許文献】
【０００６】
【非特許文献１】実登３２０７９５９号  公報
【考案の概要】
【考案が解決しようとする課題】
【０００７】
解決しようとする問題点は、従来のバーコードの機能をそのまま発揮しながら案内サインの表示内容も棄損せず、標準的な読取り性能のバーコードリーダーでも読み取れる形状のバーコードがないという点である。
【課題を解決するための手段】
【０００８】
前記課題を解決するために、請求項１の考案は、一次元バーコードの上下を切り取り加工したバーコードと、その両端外側に配置される１又は２以上の縦線（以下、拡張ガードバーという）とからなる拡張型バーコードにおいて、バーコード部分と拡張ガードバーの距離がバーコード部分の幅の１００分の７以上確保され、拡張型バーコード全体として幅が高さの１０倍以上の横長形状であることを特徴とする。
【０００９】
また、請求項２の考案は、請求項１記載の拡張型バーコードと二次元バーコードを横に並べて配置した複合型バーコードにおいて、二次元バーコードの高さと該一次元バーコードの高さとの差異が１０％以下となるように調整され、複合型バーコード全体として幅が高さの１０倍以上の横長形状であることを特徴とする。
【００１０】
また、請求項３の考案は、前記の考案のいずれかについて、全体がフレームで囲われていることを特徴とする。
【考案の効果】
【００１１】
本考案のバーコードは、縦長又は横長の案内サインの中にレイアウトしやすく、案内表示と調和しやすい。さらに、一次元バーコードと拡張ガードバーとに一定の距離を確保していることにより、標準的なバーコードリーダーでも読み取れるようになる。
【図面の簡単な説明】
【００１２】
【図１】図１は一次元バーコード、加工済み一次元バーコード、二次元バーコード及びフレームを示した説明図である。
【図２】図２はバーコードの配置・組み合わせの一形態を示した説明図である。（実施例１及び実施例２）
【図３】図３はバーコードの配置・組み合わせの一形態を示した説明図である。（実施例３及び実施例４）
【考案を実施するための形態】
【００１３】
以下、本考案の実施例について、さらに詳細に説明する。
まず、一次元バーコード１の上下を切り取り加工する。これにより、横長形状のバーコード２を実現する。
次に、その両端外側に拡張ガードバー５を配置する。バーコード部分と拡張ガードバーの距離はバーコード部分の幅の１００分の７以上確保し、拡張型バーコード６を実現する。
また、二次元バーコード３の高さを、拡張型バーコード６の高さに合わせて縦横比を維持したまま変形し、拡張型バーコード６の右又は左に配置することで、全体として横長形状の複合型バーコード７を実現する。
さらに、拡張型バーコード６及び複合型バーコード７をフレーム４で囲うことにより、複合型バーコード８及び複合型バーコード９を実現する。
【実施例１】
【００１４】
拡張型バーコード６は、本考案の１実施例の説明図であって、２は加工済み一次元バーコード、５は拡張ガードバーである。
【実施例２】
【００１５】
複合型バーコード７は、本考案の１実施例の説明図であって、２は加工済み一次元バーコード、３は二次元バーコード、５は拡張ガードバ―である。
【実施例３】
【００１６】
複合型バーコード８は、本考案の１実施例の説明図であって、６は拡張型バーコード、４はフレームである。
【実施例４】
【００１７】
複合型バーコード９は、本考案の１実施例の説明図であって、７は複合型バーコード、３は二次元バーコード、４はフレームである。
【産業上の利用可能性】
【００１８】
本考案のバーコードは、縦長又は横長の案内サインの中にレイアウトしやすく、表示内容と調和しやすい。このため、公共空間の案内サインと携帯電話等との連携による付加情報の提供を目的とした、情報機器連動型案内サインに適用することが可能である。
【符号の説明】
【００１９】
１    一次元バーコード
２    加工済み一次元バーコード
３    二次元バーコード
４    フレーム
５    拡張ガードバ―
６    拡張型バーコード
７    複合型バーコード
８    複合型バーコード
９    複合型バーコード
【図１】
0003210164.tif 000003
【図２】
0003210164.tif 000004
【図３】
0003210164.tif 000005
(57)【要約】      （修正有）【課題】幼児が自転車運転能力を習得するまでの期間を安全且つ快適に使用できるようにするために、剥き出し状態のクランク軸ボルト部から幼児の脚を守る走行練習用自転車のクランク軸カバーを提供する。【解決手段】走行練習用自転車のクランク装着部の端部外周を覆うカバー５であって、カバー本体の内部に、クランク軸ボルト部４の雄ネジに螺合する雌ネジを形成した連結部１２を設け、走行練習用自転車のクランク軸に装着する。【選択図】図６
0003210163.tif 000002
【実用新案登録請求の範囲】
【請求項１】
子供用の走行練習用自転車において、クランク（２）、ペダル（３）、チェーン（６）、ギアクランク（７）を取り外した状態のクランク軸ボルト部（４）から幼児の脚を守るために、前述のクランク装着部（１）の端部外周を覆うカバー（５）本体と、該カバー（５）本体の内部に、前述のクランク軸ボルト部（４）の雄ネジに螺合する雌ネジを形成した連結部（１２）を設けたことを特徴とする走行練習用自転車のクランク軸カバー（５）。
【請求項２】
前述のカバー（５）本体が球状であることを特徴とする（請求項１）に記載の走行練習用自転車のクランク軸カバー（５）。
【考案の詳細な説明】
【技術分野】
【０００１】
本考案は、走行練習用自転車のクランク（２）とペダル（３）及びチェーン（６）とギアクランク（７）が取り外された状態において、剥き出しになるクランク軸ボルト部（４）と幼児の脚との接触による危険性を回避する走行練習用自転車のクランク軸カバー（５）に関するものである。
【背景技術】
【０００２】
通常の子供用自転車はペダルを漕いで運転できるものとして、（図４）と（図５）に示すように自転車本体（１００）のクランク装着部（１）には、最初からクランク（２）とペダル（３）及びチェーン（６）とギアクランク（７）が装着されている。しかし、子供の運転能力が向上するまでは、ある程度の時間を要するし、幼児が乗るには困難である。幼児が乗る場合、自転車のクランク（２）とペダル（３）及びチェーン（６）とギアクランク（７）を取り外し、サドル（８）高さを下げることにより、地面を足蹴りすることで走行練習をさせていた。
【考案の概要】
【考案が解決しようとする課題】
【０００３】
しかし、上述の従来技術によれば、ペダルが漕げない幼児に走行練習用自転車を使用させる場合は、クランク（２）とペダル（３）及びチェーン（６）とギアクランク（７）を外さなければならない。ペダル（３）のみ取り外されている状態では、クランク（２）が脚に接触し危険であり、クランク（２）及びペダル（３）が取り外されている状態では、（図２）に示すようにクランク装着部（１）のクランク軸ボルト部（４）が剥き出しになり更に危険となる。
【０００４】
本考案は従来事情に鑑みてなされたもので、その目的とする処は、幼児が自転車運転能力を習得するまでの期間を安全且つ快適に使用できるようにするために、剥き出し状態のクランク軸ボルト部（４）から幼児の脚を守ることにより、前述の欠点を解決しようとするものである。
【課題を解決するための手段】
【０００５】
上述の状態では、クランク装着部（１）のクランク軸ボルト部（４）が剥き出しになるため、（図３）に示すようにクランク軸ボルト部（４）を覆うカバー（５）を装着し、脚への接触による危険を回避できるものとする。（図６）のA−A断面に示すようにカバー（５）の内部の中心には連結部（１２）があり、クランク軸ボルト部（４）はその連結部（１２）の雌ネジに螺合して固定されることにより問題点を解決している。
【０００６】
具体的には、子供用の走行練習用自転車において、クランク（２）、ペダル（３）、チェーン（６）、ギアクランク（７）を取り外した状態のクランク軸ボルト部（４）から幼児の脚を守るために、前述のクランク装着部（１）の端部外周を覆うカバー（５）本体と、該カバー（５）本体の内部に、前述のクランク軸ボルト部（４）の雄ネジに螺合する雌ネジを形成した連結部を設けたことを特徴とする走行練習用自転車のクランク軸カバーである。
【考案の効果】
【０００７】
本考案に係る走行練習用自転車は、上述したような部品構成をしているので、クランク（２）とペダル（３）及びチェーン（６）とギアクランク（７）は取り外されていても、クランク軸ボルト部（４）はクランク装着部（１）全体に装着するカバー（５）により、幼児の脚への危険な接触は回避される。これにより、幼児に安全な脚漕ぎでの走行練習させることができる効果を奏する。
【図面の簡単な説明】
【０００８】
【図１】クランク（２）とペダル（３）及びチェーン（６）とギアクランク（７）を取り外し、サドルを最も低くした状態を示した全体説明図である。
【図２】クランク（２）とペダル（３）及びチェーン（６）とギアクランク（７）を取り外した状態を示した拡大説明図である。
【図３】クランク装着部（１）にカバー（５）を装着した説明図である。
【図４】クランク（２）とペダル（３）及びチェーン（６）とギアクランク（７）を装着し、サドルを通常の高さにした状態を示した全体説明図である。
【図５】クランク（２）とペダル（３）及びチェーン（６）とギアクランク（７）を装着した状態を示した拡大説明図である。
【図６】カバー（５）とその断面を示した説明図である。
【考案を実施するための形態】
【０００９】
子供用の走行練習用自転車において、クランク（２）、ペダル（３）、チェーン（６）、ギアクランク（７）を取り外した時にクランク軸ボルト部（４）が現れる。これとの接触により、幼児が脚に怪我をしないようにクランク装着部（１）全体を覆うように角のないカバー（５）を（図６）に示すカバー（５）本体の内部の中心にある連結部（１２）の雌ネジでクランク軸ボルト部（４）を螺合して固定することにより本考案は実施される。このカバー（５）は、対になっており、左右同じ要領で装着できる。また、運転が上達した場合は、カバー（５）を取り外し、クランク（２）、ペダル（３）、チェーン（６）、ギアクランク（７）を取り付け、元の状態に戻して通常の子供用自転車として使用できるものとする。
【符号の説明】
【００１０】
１      クランク装着部
２      クランク
３      ペダル
４      クランク軸ボルト部
５      カバー（クランク軸カバー）
６      チェーン
７      ギアクランク
８      サドル
９      前輪
１０    後輪
１１    ハンドル
１２    連結部
１００  自転車本体
【図１】
0003210163.tif 000003
【図２】
0003210163.tif 000004
【図３】
0003210163.tif 000005
【図４】
0003210163.tif 000006
【図５】
0003210163.tif 000007
【図６】
0003210163.tif 000008
(57)【要約】      （修正有）【課題】線に定規の辺を合わせて角度を計る機能、分度しながらその角度の所に印をする機能を有する三角定規を提供する。【解決手段】三角定規の斜辺を分度の０度の線とし、その斜辺から９０度以上１８０度未満の円状の切れ込みをいれる。目盛りは表裏どちらからでも読めるように書いておく。【選択図】図１
0003210170.tif 000002
【実用新案登録請求の範囲】
【請求項１】
ある辺を分度の０度の線にし、９０度以上１８０度未満までの円状の切込みをその斜辺から入れ、目盛は表裏どちらからでも読めるように、本体は透明なので、表裏、場所をずらして書いてある三角定規。
【考案の詳細な説明】
【技術分野】  本発明は三角定規のある辺を０度の線にし、その斜辺から９０度以上１８０度未満の円状の切れ込みを入れ、目盛を表裏両方から読めるようにする事で、角度をとる点を印などをする事ができ、三角定規でありながら分度器にもなる。
【背景技術】  従来の分度できる三角定規にはある辺を０度の線にし、そこからの０度以上１８０度未満の切込みがない。
【先行技術文献】
【特許文献１】特許公報          特許第３６４３３３９号
【特許文献２】公開特許公報      特開２０１４−８０００１
【特許文献３】公開特許公報      特開２００８−２１３４４１
【特許文献４】公開特許公報      特開２００１−３２２５９５
【特許文献５】公開特許公報      特開平９−１４２０８４
【特許文献６】公開実用新案公報  実開平５−８６５９３
【特許文献７】公開実用新案公報  平２−１４８３９７
【特許文献８】実用新案登録公報  第２５９２３９４号
【特許文献９】公開実用新案公報  平２−１４８３９６
【考案の概要】
【考案の解決しようとしている課題】
従来の分度できる三角定規には線にその定規の辺を０度に合わせて分度しながら、その角度の所に印をする機能がない。
【課題を解決するための手段】
三角定規の辺に９０度以上１８０度未満の円状の切れ込みをいれ、目盛を表裏どちらからも読めるようにする。
【図面の簡単な説明】図１は分度ができる三角定規の表で、図２は分度ができる三角定規の裏である。
【符号の簡単な説明】
（１）    切込み（９０度以上１８０度未満）
（２）    三角定規
（３）    分度の目盛
（４）    長さの目盛
【考案を実施するための形態】
図面の様にその三角定規で、ある線からある角度をとって点を印することができる。
【実施例】図面で説明すると、三角定規の０度の辺を角度を取る元の線に合わせて、（１）の切れ込みの所のとりたい角度の所で印をする事ができる。分度する角度が切込み以上の角度の場合は、三角定規を裏返して、１８０度からその分度したい元の角度を引いた角度を分度したい方向の反対向きの方向から分度する。
【図１】
0003210170.tif 000003
【図２】
0003210170.tif 000004
【手続補正書】
【提出日】平成28年12月9日(2016.12.9)
【手続補正３】
【補正対象書類名】明細書
【補正対象項目名】全文
【補正方法】変更
【補正の内容】
【考案の詳細な説明】
【技術分野】  本発明は三角定規のある辺を０度の線にし、その斜辺から９０度以上１８０度未満の円状の切れ込みを入れ、目盛を表裏両方から読めるようにする事で、角度をとる点を印などをする事ができ、三角定規でありながら分度器にもなる。
【背景技術】  従来の分度できる三角定規にはある辺を０度の線にし、そこからの０度以上１８０度未満の切込みがない。
【先行技術文献】
【特許文献１】特許公報  特許第３６４３３３９号
【特許文献２】公開特許公報  特開２０１４−８０００１
【特許文献３】公開特許公報  特開２００８−２１３４４１
【特許文献４】公開特許公報  特開２００１−３２２５９５
【特許文献５】公開特許公報  特開平９−１４２０８４
【特許文献６】公開実用新案公報  実開平５−８６５９３
【特許文献７】公開実用新案公報  平２−１４８３９７
【特許文献８】実用新案登録公報  第２５９２３９４号
【特許文献９】公開実用新案公報  平２−１４８３９６
【考案の概要】
【考案の解決しようとしている課題】
従来の分度できる三角定規には線にその定規の辺を０度に合わせて分度しながら、その角度の所に印をする機能がない。
【課題を解決するための手段】
三角定規の辺に９０度以上１８０度未満の円状の切れ込みをいれ、目盛を表裏どちらからも読めるようにする。
【図面の簡単な説明】
【図１】は分度ができる三角定規の表である。
【図２】は分度ができる三角定規の裏である。
【符号の簡単な説明】
（１）    切込み（９０度以上１８０度未満）
（２）    三角定規
（３）    分度の目盛
（４）    長さの目盛
【考案を実施するための形態】
図面の様にその三角定規で、ある線からある角度をとって点を印することができる。
【実施例】図面で説明すると、三角定規の０度の辺を角度を取る元の線に合わせて、（１）の切れ込みの所のとりたい角度の所で印をする事ができる。分度する角度が切込み以上の角度の場合は、三角定規を裏返して、１８０度からその分度したい元の角度を引いた角度を分度したい方向の反対向きの方向から分度する。
(57)【要約】      （修正有）【課題】分解に困難を要する大きい形状の固形食品を簡単に分解できる固形食品を提供する。【解決手段】任意の表面形状の金型の反対面に一定間隔を保った弱化溝を形成する金型で形成した弱化溝を有する固形食品とする。【選択図】図２
0003210181.tif 000002
【実用新案登録請求の範囲】
【請求項１】
外形形状を特徴とする固形食品の弱化溝。
【請求項２】
請求項１の弱化溝の形状は、分解後、板状に出来るもの。
【請求項３】
請求項１の弱化溝の形状は、分解後、柱状に出来るももの。
【考案の詳細な説明】
【考案の詳細な説明】
【技術分野】
【０００１】  この考案は常温で固形化する食品、例えば、チョコレートの内部に弱化溝を施す方法に関する。
【背景技術】
【０００２】  常温で固形となる食品の表面形状は、金型製造と離型の容易さから、平らな形状が一般的に使用され、顧客の視覚に訴える形状では無かった。【０００３】  外形を特徴とするものは、弱化溝を有しない、一口で食する事が可能な、小さいものに限られている。【０００４】
【考案が解決しようとする課題】
【０００５】  考案は、大きさの大小を問わず、外形に特徴を持たせた固形化食品を提供しようとするものである。
【０００６】デジタル化の進歩で、形状を現物と同等、または、拡大、及び縮小した形状にする事が可能になり、外形を特徴とする形状が製作可能になった。
【０００７】  本考案は、外形形状を特徴とする食品で、分解に困難を要する大きな形状の、固形化食品を、簡単に分解できる弱化構造を、提供するものである。
【０００８】
【課題を解決するための手段】
【０００９】  実現するための工程を説明すると、
（イ）  実現しようとする現物を、光、または、非接触、接触式の形状測定装置でデジタルデータに変換する。
（ロ）  この情報を基に、彫刻機で表面成型用の金型を作成する。
（ハ）  この金型情報から、表面から一定距離を保つ、弱化溝の形状を得て、弱化溝の金型を製作する。
（ニ）  溶解した原料を注入し、冷却させて、目的の製品を取り出す。
（ホ）  必要により、化粧、着色を追加して、完成させる。
【考案の効果】
【０００９】  常温で固形する食品に於いて、その外形を成型し、顧客の視覚に訴えると共に、分解し食し易い製品を提供する事が可能なる。
【図面の簡単な説明】
【００１０】
【図１】  従来の固形化食品の断面図
【図２】  本考案の断面図
【図３】  本考案の弱化溝形成用の型の斜視図
【符号の説明】  １  弱化溝
２  表面との間隔
３  表面形状から間隔を保った形状
４  弱化溝を作る型
【図１】
0003210181.tif 000003
【図２】
0003210181.tif 000004
【図３】
0003210181.tif 000005
【手続補正書】
【提出日】平成29年2月10日(2017.2.10)
【手続補正１】
【補正対象書類名】実用新案登録請求の範囲
【補正対象項目名】全文
【補正方法】変更
【補正の内容】
【実用新案登録請求の範囲】
【請求項１】
弱化溝を有する固形食品。
【請求項２】
分解後、板状に出来る請求項１に記載の固形食品。
【請求項３】
分解後、柱状に出来る請求項１に記載の固形食品。
(57)【要約】      （修正有）【課題】構造が簡単で取り付けやすく、シートとシート支持部材の係合強度が高まる公共椅子のシート構造を提供する。【解決手段】シート１、シート支持部材２及び外装板を含み、シート支持部材２がシート１内部の両側に固設され、外装板がシート１の両側に固定され、シート支持部材２の下端側に回動機構４が設けられており、回動機構４の一端が外装板の外部まで延伸している。【選択図】図１
0003210184.tif 000002
【実用新案登録請求の範囲】
【請求項１】
シート（１）、シート支持部材（２）及び外装板（３）を含み、前記シート支持部材（２）が前記シート（１）内部の両側に固設され、前記外装板（３）が前記シート（１）の両側に固定され、前記シート支持部材（２）の下端側には回動機構（４）が設けられており、前記回動機構（４）の一端が前記外装板（３）の外部まで延伸していることを特徴とする公共椅子のシート構造。
【請求項２】
前記シート（１）と前記シート支持部材（２）は、ネジ（５）によって固定されることを特徴とする請求項１記載の公共椅子のシート構造。
【請求項３】
前記外装板（３）と前記シート支持部材（２）は、溶接により固定されることを特徴とする請求項１記載の公共椅子のシート構造。
【請求項４】
前記シート（１）は、プラスチック製であることを特徴とする請求項１記載の公共椅子のシート構造。
【考案の詳細な説明】
【技術分野】
【０００１】
本考案は椅子の技術分野に関し、特に、公共椅子のシート構造に関する。
【背景技術】
【０００２】
公共向けのプラスチック製折り畳み椅子は、シート及び背もたれにおいて一定の耐荷能力を備える必要がある。特に、主な耐荷作用を奏するシートについては、力学的な性能要求を満たすべく、支持部材で耐荷を補助する必要がある。通常の方法では、シートの支持部材はいずれもプラスチック製ハウジングの外側に被せられ、ネジで固定される。よって、視覚的に認識でき、且つ取り付けにも便利ではあるが、欠点もある。まず、中空のプラスチック製椅子は収縮が大きいため、ロットごと、或いは時間帯ごとにできあがる製品寸法が異なる。これに対し、支持部材の寸法は一定であるため、組み立て時の隙間拡大、ネジ孔の位置ずれといった事態が発生し、深刻な場合には支持部材を後に加工処理する必要が生じる。また、こうした不整合は製品全体の外観の質や強度に直接影響してしまう（ネジ孔のずれが大きい場合、ネジを斜めに差し込んで無理やり固定することになるため、強度や使用寿命に影響する）。
【考案の概要】
【考案が解決しようとする課題】
【０００３】
本考案は、組み立て時の隙間拡大、ネジ孔の位置ずれによって強度や使用寿命が影響を受けるという従来技術における瑕疵を解消するための公共椅子のシート構造を提供することを解決すべき課題とする。
【課題を解決するための手段】
【０００４】
上記の技術的課題を解決するために、本考案は、シート、シート支持部材及び外装板を含み、前記シート支持部材が前記シート内部の両側に固設され、前記外装板が前記シートの両側に固定され、前記シート支持部材の下端側に回動機構が設けられており、前記回動機構の一端が前記外装板の外部まで延伸している公共椅子のシート構造を提供する。
【０００５】
更に、前記シートと前記シート支持部材はネジによって固定される。
【０００６】
更に、前記外装板と前記シート支持部材は溶接により固定される。
【０００７】
更に、前記シートはプラスチック製である。
【考案の効果】
【０００８】
本考案における公共椅子のシート構造は、構造が簡単で取り付けやすく、シートとシート支持部材の係合強度が高まる。また、取り付け時の隙間が縮小されるほか、ネジ穴の位置をすみやかに位置決めできる。よって、使用寿命が長期化する。
【図面の簡単な説明】
【０００９】
【図１】図１は、本考案における公共椅子のシート構造を示す図である。
【図２】図２は、図１の左視図である。
【図３】図３は、本考案における公共椅子の取り付けを行う際の構造を示す図である。
【図４】図４は、既存の公共椅子のシート構造を示す図である。
【考案を実施するための形態】
【００１０】
以下に、図面と実施例を組み合わせて、本考案の具体的実施形態につき更に詳細に述べる。なお、以下の実施例は本考案を説明するためのものであって、本考案の範囲を限定するものではない。
【００１１】
図１〜図３に示すように、本考案における公共椅子のシート構造は、シート１、シート支持部材２及び外装板３を含む。前記シート支持部材２は、前記シート１内部の両側に固設される。前記外装板３は、前記シート１の両側に固定される。前記シート支持部材２の下端側には回動機構４が設けられており、前記回動機構４の一端は前記外装板３の外部まで延伸している。
【００１２】
前記シート１と前記シート支持部材２は、ネジ５によって固定される。前記外装板３と前記シート支持部材２は、溶接により固定される。前記シート１は、プラスチック製である。
【００１３】
公共椅子は、接続体６、背もたれ７及び横梁８を更に含む。シート１は、回動機構４を介して接続体６に回動可能に接続される。接続体６の上端は背もたれ７に固定され、接続体６の下端は横梁８に固定される。
【００１４】
回動機構４は回転軸とバネを含み、回転軸とバネが組み合わされて、シート支持部材２の下端に固定される。
【００１５】
取り付け時には、まずシート１両側の回動機構４部分に、シート支持部材２を挿入可能なよう適切な開口をそれぞれ開設する。続いてネジ５を用い、シート１にシート支持部材２を接続固定する。外装板３はシート支持部材２に溶接によって固定され、所定の位置に装着されると、シート１の回動機構４部分に開設済みの開口を外装板３がちょうど覆い、位置決め作用を奏する。続いて、シート１が回動機構４を介して接続体６に回動可能に接続される。接続体６の上端は背もたれ７に固定され、接続体６の下端は横梁８に固定される。これにより、完全な公共椅子の取り付けが可能となる。
【００１６】
本考案における公共椅子のシート構造は、構造が簡単で取り付けやすく、シートとシート支持部材の係合強度が強いため、使用寿命が長期化する。
【００１７】
以上述べたように、上記の実施形態は本考案における限定的実施形態ではなく、当業者が本考案の実質的内容を元に行う追加又は等価の変形は、いずれも本考案の技術範囲に含まれる。
【図１】
0003210184.tif 000003
【図２】
0003210184.tif 000004
【図３】
0003210184.tif 000005
【図４】
0003210184.tif 000006